(57)【要約】【課題】基地局の無線リソースの有効利用を図ることができる通信方法、通信システムおよび基地局装置を提供する。【解決手段】基地局２は、現在の使用リソース（使用チャネル数）を把握し、ＢＣＭＣＳの登録を行っているユーザ端末１の有無を把握する。登録しているユーザ端末１が有り、かつ現在の使用リソース数が所定値を超えている場合は、コンテンツを配信する他の基地局の確認を行うため、ＢＣＭＣ配信基地局制御装置１０に対して配信許可の問い合わせを行う。ＢＣＭＣ配信基地局制御装置１０からコンテンツの配信を行う他の基地局に関する情報を取得し、取得した他の基地局に関する情報をユーザ端末１へ送信する。ユーザ端末１が、他の基地局へハンドオフした場合には、コンテンツをユーザ端末１へ配信するためのリソースを開放する。【選択図】図１
2008252375.tif 000002
【特許請求の範囲】
【請求項１】
サーバーからネットワークを介して配信される所定情報を、第１の無線通信装置を介して第２の無線通信装置へ配信する通信システムにおける通信方法において、
前記第１の無線通信装置が、
現在の使用リソースを把握する使用リソース把握ステップと、
ネットワーク上で前記所定情報を取得するための登録を行っている第２の無線通信装置を把握する第２の無線通信装置把握ステップと、
前記使用リソース把握ステップで把握した使用リソース数が所定値を超えた場合で、かつ、前記第２の無線通信装置把握ステップにおいて、前記登録を行っている前記第２の無線通信装置が有ると把握された場合には、前記所定情報を配信する第３の無線通信装置に関する情報を取得する情報取得ステップと、
取得した前記第３の無線通信装置に関する情報を、前記第２の無線通信装置へ送信する情報送信ステップと、
前記第２の無線通信装置が、
前記送信された第３の無線通信装置に関する情報を受信し、当該受信した第３の無線通信装置に関する情報に基づいて、当該第３の無線通信装置へ通信接線できるか否かを判断する通信接続判断ステップと、
判断の結果、前記第３の無線通信装置へ通信接続できると判断した場合には、前記第３の無線通信装置への通信接続処理を実行する通信接続処理実行ステップと、
前記通信接続処理によって前記第３の無線通信装置へ通信接続した場合には、前記第３の無線通信装置を介して前記所定情報を受信する所定情報受信ステップと、
前記第１の無線通信装置が、
前記第２の無線通信装置が、前記第３の無線通信装置へ通信接続した場合には、前記所定情報を前記第２の無線通信装置へ配信するためのリソースを開放するリソース開放ステップと、
を含むことを特徴とする通信方法。
【請求項２】
前記通信接続判断ステップでは、
当該第２の無線通信装置が、現在通信接続している前記第１の無線通信装置と通信が可能な通信可能無線通信装置を含んだリストを予め備え、当該リストが、当該第２の無線通信装置との通信優先度が最も高い通信可能無線通信装置が次の接続先候補となるように設定されていて、
前記第２の無線通信装置が、前記リスト中の通信可能無線通信装置のいずれかに、前記第３の無線通信装置が該当するか否かを判断することによって、当該第３の無線通信装置へ通信接続できるか否かを判断し、
前記通信接続処理実行ステップでは、
前記判断において、前記リスト中の通信可能無線通信装置のいずれかに、前記第３の無線通信装置が該当することによって、当該第３の無線通信装置へ通信接続できると判断した場合には、前記第３の無線通信装置が次の接続先候補となるように前記リストの設定状態を制御し、当該制御に基づいて、前記第３の無線通信装置への通信接続処理を実行する、ことを特徴とする請求項１に記載の通信方法。
【請求項３】
前記通信システムにおいて、前記ネットワーク上で前記所定情報を取得するための登録は保持され、
前記第２の無線通信装置が、前記第３の無線通信装置を介して前記所定情報を受信するステップでは、前記保持された登録に基づいて、前記所定情報を受信する、ことを特徴とする請求項１または２に記載の通信方法。
【請求項４】
前記通信システムは、空間分割多元接線（ＳＤＭＡ）方式で通信が行われる、ことを特徴とする請求項１ないし３のいずれかに記載の通信方法。
【請求項５】
サーバーから配信される所定情報を、第１の無線通信装置を介して第２の無線通信装置へ配信する通信システムにおいて、
前記第１の無線通信装置は、
現在の使用リソースを把握する使用リソース把握手段と、
ネットワーク上で前記所定情報を取得するための登録を行っている第２の無線通信装置を把握する第２の無線通信装置把握手段と、
前記使用リソース把握手段で把握した使用リソース数が所定値を超えた場合で、かつ、前記第２の無線通信装置把握手段において、前記登録している第２の無線通信装置が有ると把握された場合には、前記所定情報を配信する第３の無線通信装置に関する情報を取得し、取得した前記第３の無線通信装置に関する情報を前記第２の無線通信装置へ送信する第３の無線通信装置情報取得手段と、
前記第２の無線通信装置が、前記第３の無線通信装置へ通信接続した場合には、前記所定情報を前記第２の無線通信装置へ配信するためのリソースを開放するリソース開放手段とを有し、
前記第２の無線通信装置は、
前記送信された第３の無線通信装置に関する情報を受信し、当該受信した第３の無線通信装置に関する情報に基づいて、当該第３の無線通信装置へ通信接線できるか否かを判断する第３の無線通信装置確認手段と、
判断の結果、前記第３の無線通信装置へ通信接続できると判断した場合には、前記第３の無線通信装置への通信接続処理を実行するハンドオーバ手段と、
前記通信接続処理によって前記第３の無線通信装置へ通信接続した場合には、前記第３の無線通信装置を介して前記所定情報を受信する所定情報受信手段とを有する、
ことを特徴とする通信システム。
【請求項６】
サーバから配信される所定情報を、第１の無線通信装置を介して第２の無線通信装置へ配信する通信システムにおける前記第１の無線通信装置であって、
現在の使用リソースを把握する使用リソース把握手段と、
ネットワーク上で所定情報を取得するための登録を行っている第２の無線通信装置を把握する第２の無線通信装置把握手段と、
前記使用リソース把握手段で把握した使用リソース数が所定値を超えた場合で、かつ、前記第２の無線通信装置把握手段において、前記登録を行っている第２の無線通信装置が有ると把握された場合には、所定情報を配信する第３の無線通信装置に関する情報を取得し、取得した前記第３の無線通信装置に関する情報を前記第２の無線通信装置へ送信する第３の無線通信装置情報取得手段と、
前記第２の無線通信装置が、前記第３の無線通信装置へ通信接続した場合には、前記所定情報を前記第２の無線通信装置へ配信するためのリソースを開放するリソース開放手段とを有する、
ことを特徴とする無線通信装置。
【発明の詳細な説明】
【技術分野】
【０００１】
本発明は、ブロードキャストサービスやマルチキャストサービス等を顧客に提供する通信システムに関する。
【背景技術】
【０００２】
例えば３ＧＰＰ２に規格されているように、ＢＣＭＣＳ（Ｂｒｏａｄｃａｓｔ  ａｎｄ  Ｍｕｌｔｉｃａｓｔ  Ｓｅｒｖｉｃｅ：以下、同じ）とは、同じデータを多数のユーザへ配信するサービスであり、大容量の映画などのコンテンツや、少容量のニュースや天気予報などのサービスを顧客に提供することができる。また、これらの配信は、無線通信だけでなく有線通信でも利用されている。
【０００３】
図１は、ＢＣＭＣＳの基本構成を示す図である。アクセス認証装置４は、各ユーザ端末１１〜１ＮがＢＣＭＣＳのサービスを享受可能か否かの判断および権限を与えるための装置であり、ＢＣＭＣＳ制御装置５は、ＢＣＭＣＳのアクセスキーを発行し、および認証そのものを制御する装置であり、ＢＣＭＣＳコンテンツサーバ３は、コンテンツを配信し、およびその配信データに対してセキュリティを掛けることを目的とした装置である。
【０００４】
基地局２１〜２Ｍは、ブロードキャストやマルチキャスト配信用のリソース（チャネルやスロット：以下、同じ）を常時確保しており、ＢＣＭＣＳコンテンツサーバ３からのコンテンツをユーザ端末１１〜１Ｎに向けて配信する。また、基地局２１〜２Ｍは、空間分割多元接続（ＳＤＭＡ）方式による通信を実行する場合、ＢＣＭＣＳサービスに割り当てているリソースにおいては、空間多重をすることができないので、空間３多重を実行する場合は、ＢＣＭＣＳによる配信で使用されるリソースの数は、通常通信の３倍となる。空間多重通信しない理由は、マルチアンテナでビームフォーミングを形成する際、ユーザ端末と基地局間で位相を互いに計算して、ユーザ端末１１〜１Ｎが存在する方向へ電波を向けるが、多数のユーザがいる場合、ビームフォーミングを形成せずに、一様にアンテナから出力しなければならず、この出力は一方向通信であることから、空間分割多元接続を実行できないからである。
【０００５】
図２は、基地局のリソースの概念を説明するために、チャネルとタイムスロットと空間多重の関係をモデル化した図である。この図は、一例として時分割通信（ＴＤＭＡ）の３分割、空間３多重通信、３チャネル構成で示しており、この場合、トータルリソース数は２７（３×３×３）となる。また、この時、ブロードキャストもしくはマルチキャストのデータが配信されている場合は、斜線が引かれている３つのリソースを占有してしまうことになる。更に補足するなら、時間多重のスロットが１つで、配信データが足りる場合であって、３時分割全てをＭＣＢＣＳで使用すると、通常通信の３倍（空間多重）の９（２７／３）つのリソースを占有することになる。
【０００６】
図３は、ユーザ端末がブロードキャストもしくはマルチキャスト配信を受けるときの手順概要を示すシーケンス図である。まず、ユーザ端末が、基地局に対してｐｐｐセッションを開始するための要求を出し、基地局やネットワークスイッチが認証等を行い、ｐｐｐセッションの許可を与える。マルチキャストで通信を行うためには、ユーザ端末は、更に、基地局およびネットワークスイッチを介してＢＣＭＣＳ制御装置にＢＣＭＣＳの登録の要求を出す。ＢＣＭＣＳ制御装置は、登録を許可をした場合、基地局に通知し、基地局はユーザ端末とＢＣＭＣＳ許可を記録する。その後、基地局がユーザ端末から配信要求を受けた場合、基地局は既にＢＣＭＣＳコンテンツサーバから受け取っている配信データをユーザ端末に対して配信する。当然ながら、基地局は、ユーザ端末の存在の有無に関わらず、ＢＣＭＣＳコンテンツサーバから配信データを受け取っていなければならない。
【０００７】
なお、特許文献１には、ＢＣＭＣＳシステムにおいて、ＢＣＭＣＳサービスが中断または不能状態である場合、基地局が、移動端末にＢＣＭＣＳサービスの中止を知らせることができ、これによって、システム資源の負荷を減少させる方法およびシステムが開示されている。
【特許文献１】特表２００６−５１２８７８号公報
【発明の開示】
【発明が解決しようとする課題】
【０００８】
上述したように、ＢＣＭＣＳ（Ｂｒｏａｄｃａｓｔ  ａｎｄ  Ｍｕｌｔｉｃａｓｔ  Ｓｅｒｖｉｃｅ）コンテンツサーバは、ユーザ端末からのＢＣＭＣＳサービス要求の有無にかかわらず、基地局へコンテンツを送信しており、基地局は、ユーザ端末の利用有無に関わらず、前記サーバからのコンテンツをユーザ端末へ配信するためのリソース（チャネル、スロット）を常時確保している。これは、基地局にとって有限であるリソースを効率よく使用できないという問題を生じる。この場合、特に、空間分割多元接続（ＳＤＭＡ）方式が適用される通信システムでのＢＣＭＣＳでは、基地局が前記サーバから配信されたコンテンツをユーザ端末へ配信するためのチャネルについて、空間チャネルが設定できないため、当該基地局に対するユーザ端末の接続数等が増えてきた場合には、無線リソースの有効利用を図ることができない。
【０００９】
本発明は、このような問題点に鑑みてなされたものであり、本発明の目的は、限りがある無線リソースの有効利用を図ることができる通信方法、通信システムおよび無線通信装置を提供することにある。
【課題を解決するための手段】
【００１０】
上記目的を達成するため、本発明の通信方法は、サーバーからネットワークを介して配信される所定情報を、第１の無線通信装置を介して第２の無線通信装置へ配信する通信システムにおける通信方法において、前記第１の無線通信装置が、現在の使用リソースを把握する使用リソース把握ステップと、ネットワーク上で前記所定情報を取得するための登録を行っている第２の無線通信装置を把握する第２の無線通信装置把握ステップと、前記使用リソース把握ステップで把握した使用リソース数が所定値を超えた場合で、かつ、前記第２の無線通信装置把握ステップにおいて、前記登録を行っている前記第２の無線通信装置が有ると把握された場合には、前記所定情報を配信する第３の無線通信装置に関する情報を取得する情報取得ステップと、取得した前記第３の無線通信装置に関する情報を、前記第２の無線通信装置へ送信する情報送信ステップと、前記第２の無線通信装置が、前記送信された第３の無線通信装置に関する情報を受信し、当該受信した第３の無線通信装置に関する情報に基づいて、当該第３の無線通信装置へ通信接線できるか否かを判断する通信接続判断ステップと、判断の結果、前記第３の無線通信装置へ通信接続できると判断した場合には、前記第３の無線通信装置への通信接続処理を実行する通信接続処理実行ステップと、前記通信接続処理によって前記第３の無線通信装置へ通信接続した場合には、前記第３の無線通信装置を介して前記所定情報を受信する所定情報受信ステップと、前記第１の無線通信装置が、前記第２の無線通信装置が、前記第３の無線通信装置へ通信接続した場合には、前記所定情報を前記第２の無線通信装置へ配信するためのリソースを開放するリソース開放ステップとを含むことを特徴とする。
【００１１】
前記通信接続判断ステップでは、当該第２の無線通信装置が、現在通信接続している前記第１の無線通信装置と通信が可能な通信可能無線通信装置を含んだリストを予め備え、当該リストが、当該第２の無線通信装置との通信優先度が最も高い通信可能無線通信装置が次の接続先候補となるように設定されていて、前記第２の無線通信装置が、前記リスト中の通信可能無線通信装置のいずれかに、前記第３の無線通信装置が該当するか否かを判断することによって、当該第３の無線通信装置へ通信接続できるか否かを判断し、前記通信接続処理実行ステップでは、前記判断において、前記リスト中の通信可能無線通信装置のいずれかに、前記第３の無線通信装置が該当することによって、当該第３の無線通信装置へ通信接続できると判断した場合には、前記第３の無線通信装置が次の接続先候補となるように前記リストの設定状態を制御し、当該制御に基づいて、前記第３の無線通信装置への通信接続処理を実行することが好ましい。
【００１２】
また、前記通信システムにおいて、前記ネットワーク上で前記所定情報を取得するための登録は保持され、前記第２の無線通信装置が、前記第３の無線通信装置を介して前記所定情報を受信するステップでは、前記保持された登録に基づいて、前記所定情報を受信することが好ましい。また、前記通信システムは、空間分割多元接線（ＳＤＭＡ）方式で通信が行われることが好ましい。
【００１３】
また、本発明の通信システムは、サーバーから配信される所定情報を、第１の無線通信装置を介して第２の無線通信装置へ配信する通信システムにおいて、前記第１の無線通信装置が、現在の使用リソースを把握する使用リソース把握手段と、ネットワーク上で前記所定情報を取得するための登録を行っている第２の無線通信装置を把握する第２の無線通信装置把握手段と、前記使用リソース把握手段で把握した使用リソース数が所定値を超えた場合で、かつ、前記第２の無線通信装置把握手段において、前記登録している第２の無線通信装置が有ると把握された場合には、前記所定情報を配信する第３の無線通信装置に関する情報を取得し、取得した前記第３の無線通信装置に関する情報を前記第２の無線通信装置へ送信する第３の無線通信装置情報取得手段と、前記第２の無線通信装置が、前記第３の無線通信装置へ通信接続した場合には、前記所定情報を前記第２の無線通信装置へ配信するためのリソースを開放するリソース開放手段とを有し、前記第２の無線通信装置が、前記送信された第３の無線通信装置に関する情報を受信し、当該受信した第３の無線通信装置に関する情報に基づいて、当該第３の無線通信装置へ通信接線できるか否かを判断する第３の無線通信装置確認手段と、判断の結果、前記第３の無線通信装置へ通信接続できると判断した場合には、前記第３の無線通信装置への通信接続処理を実行するハンドオーバ手段と、前記通信接続処理によって前記第３の無線通信装置へ通信接続した場合には、前記第３の無線通信装置を介して前記所定情報を受信する所定情報受信手段とを有することを特徴とする。
【００１４】
また、本発明の無線通信装置は、サーバから配信される所定情報を、第１の無線通信装置を介して第２の無線通信装置へ配信する通信システムにおける前記第１の無線通信装置であって、現在の使用リソースを把握する使用リソース把握手段と、ネットワーク上で所定情報を取得するための登録を行っている第２の無線通信装置を把握する第２の無線通信装置把握手段と、前記使用リソース把握手段で把握した使用リソース数が所定値を超えた場合で、かつ、前記第２の無線通信装置把握手段において、前記登録を行っている第２の無線通信装置が有ると把握された場合には、所定情報を配信する第３の無線通信装置に関する情報を取得し、取得した前記第３の無線通信装置に関する情報を前記第２の無線通信装置へ送信する第３の無線通信装置情報取得手段と、前記第２の無線通信装置が、前記第３の無線通信装置へ通信接続した場合には、前記所定情報を前記第２の無線通信装置へ配信するためのリソースを開放するリソース開放手段とを有することを特徴とする。
【発明の効果】
【００１５】
本発明は、例えば基地局の無線リソースが足りない場合に、ネットワーク上で所定情報を取得するために登録されているユーザ端末を他の基地局にハンドオフさせることによって無線リソースを確保できるので、限りがある基地局における無線リソースの有効利用を図ることができる。
【発明を実施するための最良の形態】
【００１６】
本発明の実施の形態について図面を参照して説明する。図４は、本発明の通信システムの構成の一例を示す図である。図４に示す通信システムは、ＳＤＭＡ（空間分割多元接続）方式で通信を行うものであり、ユーザ端末（第２の無線通信装置）１１〜１Ｎと、基地局（第１の無線通信装置、第３の無線通信装置）２１〜２Ｍと、基地局２１〜２ＭをＬＡＮ／ＷＡＮに接続するスイッチ６と、各ユーザ端末がＢＣＭＣＳサービスを享受可能か否かの判断および権限を与えるアクセス認証装置４と、ＢＣＭＣＳのアクセスキーの発行および認証の制御を行うＢＣＭＣＳ制御装置５と、ＢＣＭＣＳコンテンツプロバイダ７と、コンテンツ（所定情報）を配信し、およびその配信データ（所定情報）に対してセキュリティを掛けるＢＣＭＣＳコンテンツサーバ３と、ＬＡＮ／ＷＡＮに接続されるＢＣＭＣＳノード８と、ＢＣＭＣＳノード８とＢＣＭＣＳコンテンツサーバ３とを接続するＢＣＭＣＳルータ９と、ＬＡＮ／ＷＡＮに接続されるＢＣＭＣ配信基地局制御装置１０とを備える。なお、ＢＣＭＣＳコンテンツサーバ３は、ＢＣＭＣＳのコンテンツを配信できるサーバであれば、特に、ＢＣＭＣＳ専用のサーバでなくても良い。
【００１７】
基地局２１〜２Ｍは、それぞれ、現在の使用リソース（使用チャネル数）を把握する使用リソース把握手段２１と、ＢＣＭＣＳ制御装置５に対してネットワーク上でＢＣＭＣＳの登録（レジストレーション）を行っている（所定情報を取得するための登録を行っている）ユーザ端末１の有無を把握する端末把握手段（第２の無線通信装置把握手段）２２と、使用リソース把握手段２１で把握した使用リソース数が所定値を超えた場合で、かつ、端末把握手段２２において、登録しているユーザ端末１が有ると把握された場合には、コンテンツを配信する他の基地局（第３の無線通信装置）に関する情報を取得し、取得した他の基地局に関する情報をユーザ端末１へ送信する基地局情報取得手段（第３の無線通信装置情報取得手段）２３と、ユーザ端末１が、他の基地局へ通信接続した場合には、コンテンツをユーザ端末１へ配信するためのリソースを開放するリソース開放手段２４とを備える。
【００１８】
ユーザ端末１１〜１Ｎは、それぞれ、送信された他の基地局に関する情報を受信し、受信した他の基地局に関する情報に基づいて、他の基地局へ通信接線できるか否かを判断する基地局確認手段（第３の無線通信装置確認手段）１１と、判断の結果、他の基地局へ通信接続できると判断した場合には、他の基地局への通信接続処理を実行するハンドオーバ手段１２と、通信接続処理によって他の基地局へ通信接続した場合には、他の基地局を介してコンテンツを受信するコンテンツ受信手段（所定情報受信手段）１３とを備える。
【００１９】
また、ユーザ端末１１〜１Ｎは、それぞれ、キャンディデートテーブル（Ｃａｎｄｉｄａｔｅ  Ｔａｂｌｅ）と呼ばれる、現在通信接続している基地局に通信が可能な、例えば隣接する基地局を含んだ基地局候補リスト（図示せず）を予め備えている。基地局候補リストは、例えば当該端末との通信状態（制御情報信号の受信レベル等）が最も良い基地局（第３の無線通信装置）を通信優先度が最も高くなるようにランク付けし、ランクの最上位が次の接続先候補となるように設定されている。
【００２０】
ＢＣＭＣ配信基地局制御装置１０は、基地局の位置情報、基地局の配信情報およびユーザの利用状況を入手して、各基地局のＢＣＭＣ配信情報を管理する。基地局の位置情報は、基地局からのＧＰＳ情報により、または管理者が直接位置情報を入力することで入手可能となる。基地局の配信情報は、基地局がＢＣＭＣ配信を開始する前に、かならずＢＣＭＣ配信基地局制御装置１０にアクセスして許可を貰うようにすることで入手可能となる。ＢＣＭＣ配信基地局制御装置１０は、基地局に対して配信中止を求めることも可能である。ユーザの利用状況は、基地局およびＢＣＭＣＳ制御装置から入手することが可能である。
【００２１】
ＢＣＭＣ配信基地局制御装置１０は、基地局からの配信許可の問い合わせに対して、許可または不許可の情報を、基地局の位置情報、基地局の配信情報およびユーザの利用状況から判断して、問い合わせの基地局に応答する。その際に、他の基地局候補がある場合は、問い合わせの基地局に返信する。
【００２２】
図５は、基地局の動作を説明するフローチャートである。基地局（第１の無線通信装置）２は、現在の使用リソース（使用チャネル数）を把握し（ステップ１００）、さらにＢＣＭＣＳの登録を行っているユーザ端末（第２の無線通信装置）１の有無を把握する（ステップ１１０）。次に、登録しているユーザ端末１が有るか否かを判定し（ステップ１２０）、登録しているユーザ端末１が有れば、現在の使用リソース数が所定値を超えているか否かを判定する（ステップ１３０）。現在の使用リソース数が所定値を超えている場合は、コンテンツを配信する他の基地局（第３の無線通信装置）の確認を行うため、ＢＣＭＣ配信基地局制御装置１０に対して配信許可の問い合わせを行う（ステップ１４０）。次に、ＢＣＭＣ配信基地局制御装置１０からコンテンツの配信を行う他の基地局に関する情報を取得し（ステップ１５０）、取得した他の基地局に関する情報をユーザ端末１へ送信する（ステップ１６０）。ユーザ端末１が、他の基地局へ通信接続した場合には、コンテンツをユーザ端末１へ配信するためのリソースを開放する（ステップ１７０）。
【００２３】
ステップ１２０において、登録しているユーザ端末１が無ければ処理を終了する（ステップ１８０）。また、ステップ１３０において、現在の使用リソース数が所定値を超えていなければ処理を終了する（ステップ１８０）。
【００２４】
図６は、ユーザ端末の動作を説明するフローチャートである。ユーザ端末１は、基地局２から送信された他の基地局に関する情報を受信し（ステップ２００）、受信した他の基地局に関する情報に基づいて、他の基地局へ通信接線（ｐｐｐセッション登録）できるか否かを判断する（ステップ２１０）。すなわち、基地局候補リスト中の基地局のいずれかに、他の基地局が該当するか否かを判断する。その結果、基地局候補リスト中の基地局に、他の基地局が該当するために、他の基地局へ通信接続できると判断した場合には、他の基地局が次の接続先候補となるように、基地局候補リストの設定状態を制御する。そして基地局候補リストの設定状態の制御に基づいて、他の基地局への通信接続処理（ハンドオーバ）を実行し（ステップ２２０）、他の基地局からコンテンツを受信する（ステップ２３０）。ステップ２１０において、他の基地局が基地局候補リストの中に含まれていないため、他の基地局と通信接続できないときは、ユーザ端末１は、現在の基地局２からコンテンツを受信する（ステップ２４０）。
【００２５】
図７は、ユーザ端末がＢＣＭＣ配信を受けるときの手順概要を示すシーケンス図である。ユーザ端末は、基地局（ＢＳ１）にｐｐｐセッションの登録が完了して、更に、ＢＣＭＣＳへの登録が完了しているものとする。まず、ユーザ端末から基地局（ＢＳ１）に対してＢＣＭＣＳ配信要求を行うと、基地局（ＢＳ１）は、現在の使用リソース数が所定値を越えている場合は、配信基地局の確認を行うため、ＢＣＭＣ配信基地局制御装置に対し配信許可の問い合わせを行う。ＢＣＭＣ配信基地局制御装置は、予め入手している基地局の位置情報、基地局の配信情報およびユーザの利用状況に基づいて配信の許可、不許可を判断し、基地局（ＢＳ１）による配信が不許可である場合は、基地局（ＢＳ１）に他の基地局（ＢＳ２）を紹介する。次に、基地局（ＢＳ１）は、ユーザ端末に対して他の基地局（ＢＳ２）を紹介して他の基地局（ＢＳ２）へのハンドオーバ（Ｈ／Ｏ）の要請を行う。その紹介内容は、基地局を識別できる基地局（ＢＳ２）に特有のカラーコード等をユーザ端末へ通知する。
【００２６】
ユーザ端末は、定期的に他の基地局、および現在通信中の基地局の受信ＳＩＮＲ（Ｓｉｇｎａｌ ｔｏ Ｉｎｔｅｒｆｅｒｅｎｃｅ ｐｌｕｓ Ｎｏｉｓｅ Ｒａｔｉｏ）値等をキャンディデートテーブルに保管しており、基地局（ＢＳ１）から、基地局（ＢＳ２）へのハンドオーバ（Ｈ／Ｏ）情報を受け取ると、キャンディデートテーブルの中に他の基地局（ＢＳ２）が存在するか否かを確認する。基地局（ＢＳ２）が存在する場合は、ＳＩＮＲ値が規定値より大きければ、基地局（ＢＳ２）にハンドオーバするために、キャンディデートテーブルと呼ばれる基地局候補リストの基地局（ＢＳ２）の優先度を上げる。ユーザ端末は、キャンディデートテーブルを参照して、優先度の高い基地局（ＢＳ２）へハンドオーバすることになり、自動的に、ｐｐｐセッションの再登録を基地局（ＢＳ２）に送信する。なお、キャンディデートテーブルの優先度が高く設定された内容は、ＢＣＭＣＳの登録の開放もしくは、基地局から他の基地局の紹介が入ったときに変更される。ユーザ端末が、基地局（ＢＳ２）へハンドオーバした場合には、基地局（ＢＳ１）は、コンテンツをユーザ端末へ配信するためのリソースを開放する。
【００２７】
基地局（ＢＳ２）は、ユーザ端末からｐｐｐセッションの再登録があると、認証および対応を行い、ユーザ端末のｐｐｐセッション登録に許可を与える。更に、ユーザ端末は、自動的にＢＣＭＣ配信の要求を基地局（ＢＳ２）に送信する。基地局（ＢＳ２）は、このユーザ端末がＢＣＭＣＳの登録を行っているか不明であるため、ＢＣＭＣＳ制御装置に登録確認の問い合わせを行う。ユーザ端末は、既に基地局（ＢＳ１）を介してＢＣＭＣＳ制御装置にＢＣＭＣＳの登録を行っており、また、ＢＣＭＣＳ制御装置は、ユーザ端末のＢＣＭＣＳの登録を保持しているので、保持されたＢＣＭＣＳの登録に基づいて、配信許可済みのメッセージを基地局（ＢＳ２）に送信する。基地局（ＢＳ２）は、ユーザ端末に対してチャネル情報、アクセスキー等のＢＣＭＣ受信可能な情報を報知するとともに、ＢＣＭＣＳコンテンツサーバ３からコンテンツのダウンロードを開始する。ユーザ端末が基地局（ＢＳ２）から受け取った情報に合わせてチャネルを変更して配信チャネルにアクセスすると、基地局２は、ＢＣＭＣＳコンテンツサーバ３からダウンロードしたコンテンツをユーザ端末に配信する。
【００２８】
上述のように、本発明は、基地局の無線リソースが足りない場合に、ＢＣＭＣＳに登録されているユーザ端末を他の基地局にハンドオフさせることによって無線リソースを確保できるので、限りがある基地局における無線リソースの有効利用を図ることができる。
【００２９】
また、前記本発明の実施の形態では、ＢＣＭＣＳのコンテンツを、ＢＣＭＣＳコンテンツサーバ３から基地局２を介してユーザ端末１へ配信するシステムについて説明したが、本発明はこれに限らず、情報家電ネットワークシステムや基地局−車間・車−車間通信システム等においても実現が可能である。情報家電ネットワークシステムは、例えば、携帯電話等の端末から、ネットワークを介して家庭用サーバへアクセスし、かかる家庭用サーバを通じて家庭内に設置されている各種機器（ＡＶ家電や白物家電から）を制御することができるように構成されているが、この場合、ユーザ端末は、家庭用サーバから配信される前記各種機器を制御するための情報（所定情報）をネットワークを介して取得している。このような情報家電ネットワークシステムの場合、前記携帯電話等の端末が前記本発明の実施の形態におけるユーザ端末１（第２の無線通信装置）に相当し、前記携帯電話等の端末が通信接続する相手側の装置が前記本発明の実施の形態における基地局２（第１の無線通信装置、第３の無線通信装置）に、そして、前記家庭用サーバが前記本発明の実施の形態におけるＢＣＭＣＳコンテンツサーバ３に相当する。
【００３０】
また、基地局−車間通信システムは、路上に設置される基地局と車両に搭載する移動局間で通信を行うように構成されているが、この場合、車両（移動局）が前記本発明の実施の形態におけるユーザ端末１（第２の無線通信装置）に相当し、基地局が前記本発明の実施の形態における基地局２（第１の無線通信装置、第３の無線通信装置）に、そして、基地局の上位に構成されたサーバ等の情報配信装置が、前記本発明の実施の形態におけるＢＣＭＣＳコンテンツサーバ３に相当する。
さらに、前記車−車間通信システムは、第１の車両（第１の移動局）が基地局へデータを送信するときに、基地局への送信波が弱くなっている場合には、当該第１の車両（第１の移動局）が、第２の車両（第２の移動局）を介してデータを基地局へ送信することができるように構成されている。この場合、第１の車両（第１の移動局）が、前記本発明の実施の形態におけるユーザ端末１（第２の無線通信装置）に相当し、第２の車両（第２の移動局）が、前記本発明の実施の形態における基地局２（第１の無線通信装置、第３の無線通信装置）に、そして、第１の車両（第１の移動局）に対してデータを配信する、他の車両（他の移動局）や基地局、サーバ等が、前記本発明の実施の形態におけるＢＣＭＣＳコンテンツサーバ３に相当する。
【００３１】
また、マルチキャスト配信の場合は、有料通信であり、ＢＣＭＣＳ制御装置がユーザ端末の認証を行っているため、利用ユーザ端末の数量を管理することは可能である。これに対して、ブロードキャスト配信の場合は、無料配信サービスであり、ネットワーク管理者にも、利用者の有無を特定することは難しい。しかしながら、ブロードキャストの場合でも利用者の有無を特定することができれば、本発明を適用することが可能である。
【図面の簡単な説明】
【００３２】
【図１】ＢＣＭＣＳの基本構成を示す図である。
【図２】基地局のリソースの概念を説明するために、チャネルとタイムスロットと空間多重の関係をモデル化した図である。
【図３】ユーザ端末がブロードキャストもしくはマルチキャスト配信を受けるときの手順概要を示すシーケンス図である。
【図４】本発明の通信システムの構成の一例を示す図である。
【図５】基地局の動作を説明するフローチャートである。
【図６】ユーザ端末の動作を説明するフローチャートである。
【図７】ユーザ端末がブロードキャストもしくはマルチキャスト配信を受けるときの手順概要を示すシーケンス図である。
【符号の説明】
【００３３】
１１〜１Ｎ  ユーザ端末（第２の無線通信装置）
２１〜２Ｍ  基地局（第１の無線通信装置、第３の無線通信装置）
３  ＢＣＭＣＳコンテンツサーバ
４  アクセス認証装置
５  ＢＣＭＣＳ制御装置
６  スイッチ
７  ＢＣＭＣＳコンテンツプロバイダ
８  ＢＣＭＣＳノード
９  ＢＣＭＣＳルータ
１０  ＢＣＭＣ配信基地局制御装置
１１  基地局確認手段（第３の無線通信装置確認手段）
１２  ハンドオーバ手段
１３  コンテンツ受信手段（所定情報受信手段）
２１  使用リソース把握手段
２２  端末把握手段（第３の無線通信装置把握手段）
２３  基地局情報取得手段（第３の無線通信装置情報取得手段）
２４  リソース開放手段
【図１】
2008252375.tif 000003
【図２】
2008252375.tif 000004
【図３】
2008252375.tif 000005
【図４】
2008252375.tif 000006
【図５】
2008252375.tif 000007
【図６】
2008252375.tif 000008
【図７】
2008252375.tif 000009